(57)【要約】      （修正有）【課題】釘抜け等に起因する脱落が生じない安全な棟役物を提供する。【解決手段】屋根側に棟を跨ぐように固定可能な吊子(1)と、その両側に夫々取り付け可能な雨押さえ水切(2)と、吊子(1)を被うように取り付け可能な棟包(3)を有する。雨押さえ水切(2)の吊子側端部に設けられた係止部(2a)は吊子(1)の端部(1a)を上下方向に挟み込むように配され、棟包(3)の両端部(3a)，(3b)は両側の雨押さえ水切(2)の係止部(2a)を上下方向に挟み込むようにして取り付け可能な棟役物。【選択図】図４
0003111614.tif 000002
【実用新案登録請求の範囲】
【請求項１】
屋根側に棟を跨ぐように固定可能な吊子と、該吊子の両側に夫々取り付け可能な雨押さえ水切と、該吊子を被うように取り付け可能な棟包を有し、
該雨押さえ水切の吊子側端部には該吊子の端部を上下方向に挟み込むように配することのできる係止部が備えられており、
該棟包の両端部は両側の雨押さえ水切の係止部を上下方向に挟み込むようにして取り付け可能である
ことを特徴とする棟役物。
【請求項２】
棟を跨ぐように屋根側と壁側とに固定可能な吊子と、該吊子の屋根側に取り付け可能な雨押さえ水切と、該吊子を被うように取り付け可能な棟包を有し、
該雨押さえ水切の吊子側端部には該吊子の端部を上下方向に挟み込むように配することのできる係止部が備えられており、
該棟包は一方の端部が雨押さえ水切の係止部を上下方向に挟み込むと共に、他方の端部が吊子の壁側端部を挟み込むようにして取り付け可能である
ことを特徴とする片棟用の棟役物。
【考案の詳細な説明】
【技術分野】
【０００１】
本考案は、屋根棟部を被う棟役物に関するものである。
【背景技術】
【０００２】
図８及び図９は従来の棟役物の施工を説明する図である。図において(51)は棟木，(52)は垂木である。垂木(52)の上には野地板(53)，ルーフィング(56)を介して屋根材(55)が配されている。
【０００３】
棟役物である棟包(58)を取り付ける際には、笠木(57)を釘又はビス（以下、単に「釘」と言う）(59)により固定する。上方から打ち込まれた釘(59)は笠木(57)や野地板(53)等を貫通し、その先端は垂木(52)に至る。
【０００４】
笠木(57)が固定された後に、図８に示すように上方から両側の笠木(57)の上に棟包(58)を被せる。この状態では笠木(57)の上に載せているだけで棟包(58)は固定されていない。次に、棟包(58)を固定するために棟包(58)の側方から釘又はビス（以下、単に「釘」と言う）(60)を打ち込む。
【０００５】
釘(60)は棟包(58)の側方を貫通して笠木(57)に至る。これにより、棟包(58)は笠木(57)に固定される。つまり、棟包(58)は釘(60)によって固定されていることとなる。
【０００６】
ところで、家の屋根は風雨を受ける場所であり、棟包(58)や、その棟包(58)が押さえている屋根材(55)は風を強く受ける。風を受けると固定されてはいても棟包(58)は僅かに振動し、その振動は釘(60)に伝わる。短期間で有れば特に問題はないが、長期にわたって振動を受け続けると徐々に釘(60)が抜けてくる。
【０００７】
更に、釘(60)を打ち込む笠木(57)は木材であるので、湿気などにより腐食することがある。すると釘(60)を保持する力が弱くなり、更に釘(60)が抜けやすくなる。通常、住人は屋根の上まで点検することは希であるので、釘(60)の緩みや抜けて落ちに気が付かない場合が多い。つまり、住人が気づかないうちに棟包(58)の固定が弱くなっていることが多々ある。
【０００８】
そのような状態で台風や突風などの強い風を受けると、固定が十分でない棟包(58)が風の力に抗しきれずに吹き飛ばされてしまう。棟包(58)には金属材料が使われることが多く、ある程度の重量や大きさを有しているので、飛ばされて歩行者や隣接する家屋の窓，自動車などに衝突すると危険である。
【特許文献１】特許公開平５−３２１４１６号公報
【考案の開示】
【考案が解決しようとする課題】
【０００９】
そこで本考案は釘で直接固定することなく、施工から年月が経過してもしっかりと棟に固定可能で、脱落の危険性が少ない安全な棟役物を提供することを課題とする。
【課題を解決するための手段】
【００１０】
請求項１記載の棟役物は、屋根側に棟を跨ぐように固定可能な吊子(1)と、該吊子(1)の両側に夫々取り付け可能な雨押さえ水切(2)と、該吊子(1)を被うように取り付け可能な棟包(3)を有し、該雨押さえ水切(2)の吊子側端部には該吊子(1)の端部(1a)を上下方向に挟み込むように配することのできる係止部(2a)が備えられており、該棟包(3)の両端部(3a)，(3b)は両側の雨押さえ水切(2)の係止部(2a)を上下方向に挟み込むようにして取り付け可能であることを特徴とする。
【００１１】
これによれば、吊子(1)は釘等(4)により屋根側に固定され、その両側に配される雨押さえ水切(2)は吊子(1)の端部に釘等(4)により固定される。棟包(3)はその両端部で両側の水切(2)の係止部(2a)を挟み込むように係止させることにより、吊子(1)及び雨押さえ水切(2)に固定することができる。
【００１２】
棟包(3)自体は釘などにより固定しているわけではないので、従来のように釘抜けによる脱落のおそれがない。又、仮に雨押さえ水切(2)を固定しているビス(5)が抜けても棟包(3)が抱え込むように保持しているので雨押さえ水切(2)が脱落することもない。
【００１３】
請求項２記載の棟役物は片棟用の棟役物であって、棟を跨ぐように屋根側と壁(20)側とに固定可能な吊子(11)と、該吊子(11)の屋根側に取り付け可能な雨押さえ水切(12)と、該吊子(11)を被うように取り付け可能な棟包(13)を有し、該雨押さえ水切(12)の吊子側端部には該吊子(11)の端部(11a)を上下方向に挟み込むように配することのできる係止部(12a)が備えられており、該棟包(13)は一方の端部(13b)が雨押さえ水切(12)の係止部(12a)を上下方向に挟み込むと共に、他方の端部(13a)が吊子(11)の壁側端部(11b)を挟み込むようにして取り付け可能であることを特徴とする。
【００１４】
これによれば、吊子(11)は釘等(14)により屋根側と壁(20)側に固定され、その屋根側に配される雨押さえ水切(12)は吊子(11)の端部にビス(15)により固定される。棟包(13)は屋根側の端部(13b)で水切(12)の係止部を挟み込むように係止させると共に壁(20)側の端部(13a)で吊子(11)の壁側端部(11b)を挟み込むように係止させることにより、吊子(11)及び雨押さえ水切(12)に固定することができる。
【００１５】
棟包(13)自体は釘などにより固定しているわけではないので、従来のように釘抜けによる脱落のおそれがない。又、仮に雨押さえ水切(12)を固定しているビス(15)が抜けても棟包(13)が抱え込むように保持しているので雨押さえ水切(12)が脱落することもない。
【考案の効果】
【００１６】
棟包(3)を釘で直接固定しないため、風による振動や笠木の腐食などによって釘が抜けて棟包(3)が脱落してしまうようなことがない。したがって、台風などの強風時にも棟包(3)が飛んでしまうことがなく安全である。又、デザイン的にも美しい仕上げが期待できる。
【考案を実施するための最良の形態】
【００１７】
以下、本考案を好適な実施例を用いて説明する。
【実施例１】
【００１８】
図１から図５は本実施例の棟役物を使った施工を説明する図である。尚、わかりやすくするために、各図においてルーフィングや屋根材は省略して描いている。実際には野地板(53)の上に従来通りルーフィング(56)や屋根材(55)が配されている。
【００１９】
まず図１に示すように、棟に「吊子」と称する役物を取り付ける。吊子(1)は金属性であり、本実施例ではガルバニウム鋼板を使用した。尚、本実施例においては以下に説明する他の役物も同様にガルバニウム鋼板を使用した。もちろん材質はガルバニウム鋼板に限定されるものではなく、他の他の材料、例えば銅板，ステンレス板なども利用可能である。
【００２０】
吊子(1)は断面が山形の中央部(1d)の両側には、その中央部(1d)より一段低くなった凹部が設けられている。(1b)は前記凹部の底部であり、(1c)は前記凹部の側部である。凹部の外側には前記の中央部(1d)と略面一の端部(1a)が設けられている。
【００２１】
吊子(1)は釘又はビス（以下、単に「釘」と言う）(4)を用いて垂木に固定するが、その際には釘(4)が凹部の底部(1b)を貫通するようにする。
【００２２】
次に図２に示すように吊子(1)の両端に「雨押さえ水切」と称する役物(2)を配する。雨押さえ水切(2)は屋根材を押さえると共に雨水の浸入を防ぐ役割を有している。(2b)は屋根材を押さえる「押さえ部」であり、バネ作用を発揮するように僅かに山形に折り曲げられている。又、端部(2d)は屋根材と密着する面積を確保して雨水が吊子(1)側に浸入しないように折り曲げられている。必要なら端部(2d)に防水のためのシール材等を配するようにしても良い。
【００２３】
(2a)は端部(2d)とは反対側の端に設けられた係止部であり、折り曲げられているため、装着時に吊子(1)の端部(1a)を上下から挟み込むように配されることとなる。(2c)は「立ち上がり部」であり、ここを貫通したビス(5)により吊子(1)の両側に固定される。
【００２４】
図３は雨押さえ水切(2)が吊子(1)の両端に取り付けられた状態を示した図である。次に吊子(1)を被うように棟包(3)を装着する。棟包(3)の斜視図を図６に示す。基本断面形状は吊子(1)の中央部(1d)に沿うような山形であるが、両端部が内側に折り曲げられている。一方の端部(3a)は強く折り曲げられており、他方の端部(3b)は９０°程度折り曲げられている。
【００２５】
装着に際しては図４に示すように強く折り曲げられた端部(3a)を係止部(2a)に係止させる。つまり、折り曲げられて端部(3a)により、雨押さえ水切(2)の係止部(2a)を上下方向から挟み込むようにする。
【００２６】
端部(3a)を係止部(2a)に係止させつつ他方の端部(3b)を他方の係止部(2a)に近づける。それにより棟包(3)は吊子(1)を被うように配される。端部(3b)は９０°程度しか折り曲げられていないので、この段階では係止部(2a)と干渉しない。
【００２７】
棟包(3)を吊子(1)に完全に被せた後に、図５に示すように端部(3b)を更に内側に折り曲げて係止部(2a)を挟み込む。この折り曲げ加工には専用の工具を用いると作業がし易い。これにより、棟包(3)の端部(3a)と端部(3b)が雨押さえ水切(2)の両方の係止部(2a)を挟み込むように係止することとなり、棟包(3)が吊子(1)及び雨押さえ水切(2)に固定される。
【００２８】
棟包(3)は従来のように釘で固定されているわけではないため、釘が抜けることにより脱落して飛んでしまうことがない。又、従来のような笠木(57)を使用していないため、笠木(57)の腐食という問題も生じない
【００２９】
仮に雨押さえ水切(2)を固定しているビス(5)が抜けたとしても仮に雨押さえ水切(2)は外側から棟包(3)によって抱え込むように係止されているので脱落することはない。したがって、風による振動を受けて続けても棟包(3)や雨押さえ水切(2)が外れてしまう可能性は、従来の棟役物(58)と比較すると極めて少ない。したがって、従来の棟役物よりも安全性が大幅に向上する。
【実施例２】
【００３０】
実施例１は通常の棟の場合であったが、本実施例は片棟（片流れ棟）用の棟役物であり、図７は本実施例の構成を説明する図である。
【００３１】
片棟用であっても基本的な考え方は実施例１と同様である。吊子(11)を釘やビス（以下、単に「釘」という）(14)で建物に固定する。但し、屋根が片流れであるため、吊子(11)の一端は屋根の上に固定されるが、他端は壁面上部(20)に固定されることとなる。
【００３２】
次に、ビス(15)を使って、吊子(11)の端部(11a)に雨押さえ水切(12)を取り付ける。但し、屋根が片流れであるため壁面上部(20)に位置する端部(11b)には雨押さえ水切(12)は取り付ける必要はない。もちろん必要に応じて壁面上部(20)に位置する端部(11b)にも雨押さえ水切(12)を取り付けることはできるが、通常は壁材には防水材が施されているため別途雨押さえ水切(12)により防水をする必要が無いからである。
【００３３】
吊子(11)と雨押さえ水切(12)が取り付けられた後に棟包(13)を被せるように装着する。棟包(13)の一方の端部(13a)は強く折り曲げられており、他方の端部(13b)は９０°程度折り曲げられている。そこで装着の際には、まず強く折り曲げられた端部(13a)が端部(11b)を挟み込むように係止させる。
【００３４】
ついで、棟包(13)が吊子(11)を完全に被った後に、他方の端部(13b)を強く折り曲げて雨押さえ水切(12)の係止部(12a)に係止させる。
【００３５】
尚、本実施例では作業のしやすさを考慮して棟包(13)の壁面上部(20)側の端部(13a)を最初から強く折り曲げておき、屋根側の端部(13b)を装着時に強く折り曲げるようにしたが、必要なら反対に壁面上部(20)側の端部を装着時に強く折り曲げるようにしても良い。
【００３６】
本実施例も棟包(13)を釘で固定するのではなく、棟包(13)が吊子(11)と雨押さえ水切(12)を抱くように係止しているため、強風時にも脱落する可能性を従来の棟役物に比べて格段に低くすることができる。又、デザイン的にも美しい仕上げが期待できる。
【産業上の利用可能性】
【００３７】
本考案は民家のみではなく、工場，店舗，倉庫など棟を有する建築物に広く適用することが可能である。
【図面の簡単な説明】
【００３８】
【図１】実施例１を用いた施工を説明する図（その１）。
【図２】実施例１を用いた施工を説明する図（その２）。
【図３】実施例１を用いた施工を説明する図（その３）。
【図４】実施例１を用いた施工を説明する図（その４）。
【図５】実施例１を用いた施工を説明する図（その５）。
【図６】実施例１の棟包を示した図。
【図７】実施例２を説明する図。
【図８】従来の施工例を説明する図（その１）。
【図９】従来の施工例を説明する図（その２）。
【符号の説明】
【００３９】
１    吊子
２    雨押さえ水切
３    棟包
４    釘（又はビス）
５    ビス
１１    吊子（実施例２）
１２    雨押さえ水切（実施例２）
１３    棟包（実施例２）
【図１】
0003111614.tif 000003
【図２】
0003111614.tif 000004
【図３】
0003111614.tif 000005
【図４】
0003111614.tif 000006
【図５】
0003111614.tif 000007
【図６】
0003111614.tif 000008
【図７】
0003111614.tif 000009
【図８】
0003111614.tif 000010
【図９】
0003111614.tif 000011